(57)【要約】【課題】  ＵＨＦ帯の共同受信システムを使用していながら、ＶＨＦ帯のマルチメディア放送や自営通信を伝送可能とする。【解決手段】  ＶＨＦ帯のマルチメディア放送信号を、アップコンバータ６が、ＵＨＦ帯のテレビジョン放送で不使用の帯域の変換信号に周波数変換して、出力する。ＵＨＦ帯の高周波信号を伝送可能な共同受信システム２が、アップコンバータ６からの前記変換信号を、共同受信システム２の端末端子１４まで伝送する。端末端子１４に接続されたダウンコンバータ１６が、端末端子１４に供給された前記変換信号を、元のマルチメディア放送信号に周波数変換して、出力する。【選択図】        図１
2011249971.tif 000002
【特許請求の範囲】
【請求項１】
ＶＨＦ帯のマルチメディア放送信号及び自営通信信号の少なくとも一方を、ＵＨＦ帯のテレビジョン放送で不使用の帯域を有する変換信号に周波数変換して、出力する第１の周波数変換手段と、
ＵＨＦ帯の高周波信号を伝送可能であって、第１の周波数変換手段から出力された前記変換信号を、端末まで伝送する共同受信システムと、
前記共同受信システムの前記端末まで伝送された前記変換信号を、元のマルチメディア放送信号及び自営通信信号の少なくとも一方に周波数変換して、出力する第２の周波数変換手段とを、
具備する伝送システム。
【請求項２】
請求項１記載の伝送システムにおいて、ＵＨＦ帯のテレビジョン放送帯域に周波数帯域を持つテレビジョン放送信号と前記変換信号とを混合して、前記共同受信システムに供給する混合手段を、有するマルチメディア放送伝送システム。
【発明の詳細な説明】
【技術分野】
【０００１】
本発明は、伝送システムに関し、特に、ＶＨＦ帯を使用して行われるマルチメディア放送や自営通信を、共同受信システムを介して伝送するものに関する。
【背景技術】
【０００２】
現在、ＶＨＦ帯の９０乃至１０８ＭＨｚ、１７０乃至２２２ＭＨｚ及びＵＨＦ帯の４７０乃至７７０ＭＨｚを使用して地上テレビジョン放送が行われている。しかし、平成２３年７月にＵＨＦ帯の４７０乃至７１０ＭＨｚを用いて地上テレビジョン放送の完全デジタル化が行われる。非特許文献１に開示されているように、完全デジタル化によって発生するＶＨＦ帯の空き周波数を、移動体向けのマルチメディア放送や、警察、消防、防災等で利用する自営通信に使用することが検討されている。
【先行技術文献】
【非特許文献】
【０００３】
【非特許文献１】総務省情報通信審議会答申「ＶＨＦ／ＵＨＦ帯の電波の有効利用のための技術的条件」  （平成１９年６月）
【発明の概要】
【発明が解決しようとする課題】
【０００４】
送信局から送信されているＶＨＦ帯のマルチメディア放送や自営通信を、受信できないサービスエリア外の地域や、サービスエリア内であるが、ビル影等の地理的条件の影響で受信できない地域にある家屋では、マルチメディア放送や自営通信をテレビジョン共同受信システムを介して伝送することが考えられる。しかし、平成２３年７月以後に新たに設置されるテレビジョン共同受信システムでは、地上デジタル放送信号を伝送することが主目的となるので、ＵＨＦ帯の信号のみを伝送するように構成することが基本構成となる。また、既存のテレビジョン共同受信システムでも、その設置地域によっては、ＵＨＦ帯のテレビジョン放送信号のみを伝送するように構成されているものがある。これらのテレビジョン共同受信システムでは、上述したＶＨＦ帯のマルチメディア放送や自営通信を伝送することができない。地上テレビジョン放送の完全地上デジタル化に伴い、今まで地上テレビジョン放送に使用されていた７１０乃至７７０ＭＨｚの帯域が、地上テレビジョン放送に使用されなくなる。この帯域の信号であれば、ＵＨＦ帯の共同受信システムにおいて伝送可能である。本発明は、この点に着目したものである。
【０００５】
本発明は、ＵＨＦ帯の共同受信システムを使用していながら、ＶＨＦ帯のマルチメディア放送や自営通信を伝送可能とした伝送システムを提供することを、目的とする。
【課題を解決するための手段】
【０００６】
本発明の一態様の伝送システムは、第１の周波数変換手段を有している。第１の周波数変換手段は、ＶＨＦ帯のマルチメディア放送信号及び自営通信信号の少なくとも一方を、ＵＨＦ帯のテレビジョン放送で不使用の周波数帯域を有する変換信号に周波数変換して、出力する。ＶＨＦ帯のマルチメディア放送信号及び自営通信信号の一方だけでなく、双方を使用することもできる。ＶＨＦ帯のマルチメディア放送信号及び自営通信信号の少なくとも一方は、送信局から送信されたものをアンテナによって受信することもできるし、ＶＨＦ帯の信号を伝送可能な共同受信システムによって伝送されてきたものを使用することもできる。ＵＨＦ帯の高周波信号を伝送可能である共同受信システムが、第１の周波数変換手段から出力された前記変換信号を、共同受信システムの端末まで伝送する。共同受信システムとしては、大規模なもの、例えばヘッドエンドから複数の１戸建ての家屋にＵＨＦ帯の信号を伝送するものや、マンション等の各家庭にＵＨＦ帯の信号を伝送する棟内型のものを使用することもできる。或いは、小規模のもの、例えば各一戸建ての家屋において、その家屋の各部屋にＵＨＦ帯の信号を伝送するために使用されるようなものも使用することもできる。前記共同受信システムの前記端末まで伝送された前記変換信号を、第２の周波数変換手段が、元のマルチメディア放送信号及び自営通信信号の少なくとも一方に周波数変換して、出力する。出力されたＶＨＦ帯のマルチメディア放送信号及び自営通信信号の少なくとも一方は、そのままマルチメディア放送信号及び自営通信信号の少なくとも一方の受信手段に供給することもできるし、ＶＨＦ帯の送信アンテナに供給されて、再送信され、マルチメディア放送信号及び自営通信信号の少なくとも一方の受信手段で受信されるようにすることもできる。
【０００７】
このように構成された伝送システムでは、ＶＨＦ帯の信号であるマルチメディア放送信号及び自営通信信号の少なくとも一方は、第１の周波数変換手段によってＵＨＦ帯の信号に周波数変換されて、共同受信システムによって端末に伝送され、端末において元のマルチメディア放送信号及び自営通信信号の少なくとも一方に第２の周波数変換手段によって周波数変換されて、出力される。従って、マルチメディア放送信号や自営通信信号を直接に受信できない地域や家屋において、ＵＨＦ帯の信号しか伝送できない共同受信システムを使用している場合でも、これらマルチメディア放送信号や自営通信信号を受信可能となる。
【０００８】
ＵＨＦ帯のテレビジョン放送帯域に周波数帯域を持つテレビジョン放送信号と前記変換信号とを混合して、前記共同受信システムに供給する混合手段を、設けることもできる。このように構成すると、本来、ＵＨＦ帯のテレビジョン放送信号を伝送する共同受信システムを、そのまま利用することができる。
【発明の効果】
【０００９】
以上のように、本発明によれば、マルチメディア放送信号や自営通信信号を直接に受信できない地域であって、しかもＵＨＦ帯の信号しか伝送できない共同受信システムを使用していても、マルチメディア放送信号や自営通信信号を受信することができる。また、マルチメディア放送信号や自営通信信号のサービスエリア内の地域内にある家屋等であって、その家屋内ではマルチメディア放送信号や自営通信信号を直接に受信できないが、ＵＨＦ帯の信号が伝送できる共同受信システムが敷設されている場合にも、マルチメディア放送信号や自営通信信号を受信することができる。
【図面の簡単な説明】
【００１０】
【図１】本発明の一実施形態の伝送システムのブロック図である。
【図２】図１の伝送システムに使用しているアップコンバータ、ダウンコンバータ、ブースター及び混合器の詳細なブロック図である。
【図３】図１の伝送システムにおける周波数変換状態の説明図である。
【発明を実施するための形態】
【００１１】
本発明の一実施形態の伝送システムでは、図３に示すように、ＶＨＦ帯の９０乃至１０８ＭＨｚの１８ＭＨｚの周波数帯を使用して行われるマルチメディア放送信号と、２０７．５乃至２２２ＭＨｚ中の周波数帯１４．５ＭＨｚを使用して行われる予定のマルチメディア放送信号を、ＵＨＦ帯の信号を伝送するように構成された共同受信システム２（図１参照）によって伝送するものである。
【００１２】
図１に示すように、ＶＨＦ帯受信用アンテナ４で受信されたマルチメディア放送信号は、第１の周波数変換手段、例えばアップコンバータ６によってＵＨＦ帯の変換信号に周波数変換される。この変換信号は、図３に示すように、ＵＨＦ帯の地上デジタルテレビジョン放送信号に使用されている周波数帯４７０乃至７１０ＭＨｚと非重複の周波数帯で、共同受信システム２によって伝送可能な周波数帯のものである。例えば９０乃至１０８ＭＨｚのマルチメディア放送信号は、７２２乃至７４０ＭＨｚに周波数変換され、２０７．５乃至２２２ＭＨｚ帯のマルチメディア放送信号は、７６０．５ＭＨ乃至７７０ＭＨｚに周波数変換される。
【００１３】
図１に示すように、アップコンバータ６からの変換信号は、混合手段、例えば混合器８に供給される。混合器８には、ＵＨＦ帯受信用アンテナ１０で受信されたＵＨＦ帯である４７０乃至７１０ＭＨｚの地上デジタルテレビジョン放送信号も供給される。
【００１４】
混合器８は、いずれもＵＨＦ帯である変換信号と地上デジタルテレビジョン放送信号との混合信号を出力し、増幅手段、例えばブースター１２に供給する。この混合信号は、このブースター１２によって増幅され、共同受信システム２に供給される。
【００１５】
共同受信システム２では、それの各端末に設けた端末端子１４に、変換信号と地上デジタルテレビジョン放送信号との混合信号が伝送される。各端末端子１４は、各家庭の所望の複数の部屋に設置されている。共同受信システム２としては、小規模の一戸建ての家屋に設置されるものや、マンションなどに設置される棟内型のもの、または各一戸建ての家屋に伝送する大規模なもののいずれかのものを使用できる。
【００１６】
端末端子１４のうち所望のものに、第２の周波数変換手段、例えばダウンコンバータ１６が接続されている。ダウンコンバータ１６は、端末端子１４から供給された変換信号と地上デジタルテレビジョン放送信号との混合信号から、変換信号を抽出し、この抽出された変換信号を、図３に示すように、元のマルチメディア放送信号に周波数変換する。
【００１７】
この元の周波数に変換されたマルチメディア放送信号は、受信手段、例えば携帯端末のような受信機１８に供給される。受信機１８への供給は、同軸ケーブルを使用して行うこともできるし、ダウンコンバータ１６に再送信アンテナを設けておき、これによって再送信することもできる。
【００１８】
このように、ＶＨＦ帯であるマルチメディア放送信号を、ＵＨＦ帯のテレビジョン放送信号で使用している周波数帯と異なるＵＨＦ帯の周波数帯に周波数変換して、ＵＨＦ帯の信号のみを伝送する共同受信システム２を介して端末端子１４に伝送し、端末端子１４に設けたダウンコンバータ１６によって元のマルチメディア放送信号に周波数変換して、出力しているので、共同受信システム２がＶＨＦ帯の信号を伝送できないものであっても、共同受信システム２を使用して、マルチメディア放送信号を受信機１８によって受信することができる。
【００１９】
図２（ａ）は、アップコンバータ６の一部のブロック図で、入力端子２０にＶＨＦ帯受信用アンテナ４からマルチメディア放送信号が、供給される。マルチメディア放送信号は、抽出手段、例えばバンドパスフィルタ２２を介してミキサー２４に供給される。バンドパスフィルタ２２は、マルチメディア放送信号を通過させるように通過帯域が選択されている。ミキサー２４には、局部発振器２６から局部発振信号が供給されている。局部発振信号の周波数は、マルチメディア放送信号を、変換信号に周波数変換できるように選択されている。なお、局部発振信号の周波数は、共同受信システム２において伝送可能なようにＵＨＦ帯の周波数にも選択されている。ミキサー２４の出力信号である変換信号は、抽出手段、例えばバンドパスフィルタ２８によって不要信号成分が除去されて、出力端子３０に供給されている。バンドパスフィルタ２８の通過帯域は、変換信号のみを伝送可能に選択されている。また、局部発振信号は、抽出手段、例えばバンドパスフィルタ３２を介して出力端子３０に供給されている。バンドパスフィルタ３２の通過帯域は、局部発振信号のみを通過させるように選択され、不要信号成分が除去されている。このように構成されているので、出力端子３０から変換信号と局部発振信号とが、出力され、混合器８、ブースター１２、共同受信システム２を介して、各端末端子１４に供給される。
【００２０】
図２（ａ）に示したのは、９０乃至１０８ＭＨｚのマルチメディア放送信号または２０７．５乃至２２２ＭＨｚのマルチメディア放送信号のうち一方を変換信号に変換するための構成であり、他方を変換するために、図示していないがバンドパスフィルタ２２、ミキサー２４、局部発振器２６、バンドパスフィルタ２８、３２が別に設けられている。但し、９０乃至１０８ＭＨｚのマルチメディア放送信号または２０７．５乃至２２２ＭＨｚのマルチメディア放送信号のうち他方を周波数変換するためのバンドパスフィルタ２２、２８、３２や局部発振器２６では、通過帯域、局部発振信号の発振周波数は、図２（ａ）に示したバンドパスフィルタ２２、２８、３２の通過帯域、局部発振器２６の局部発振信号の発振周波数とは、異なっている。
【００２１】
図２（ｂ）は、ダウンコンバータ１６のブロック図で、入力端子３４には、変換信号と局部発振信号とテレビジョン放送信号とが供給される。入力端子３４には、抽出手段、例えばバンドパスフィルタ３６が接続されている。バンドパスフィルタ３６は、その通過帯域が変換信号のみを通過させるように選択されているので、変換信号のみが抽出される。この変換信号は、ミキサー３８に供給される。入力端子３４には、抽出手段、例えばバンドパスフィルタ４０も接続されている。バンドパスフィルタ４０は、その通過帯域が局部発振信号のみを通過させるように選択されているので、局部発振信号のみが抽出される。抽出された局部発振信号も、ミキサー３８に供給される。その結果、ミキサー３８は、変換信号を、元のマルチメディア放送信号の周波数帯に再周波数変換する。再周波数変換されたマルチメディア放送信号は、抽出手段、例えばバンドパスフィルタ４２によって不要信号成分が除去され、出力端子４４に供給される。バンドパスフィルタ４２は、その通過帯域が、マルチメディア放送信号を通過させるように選択されている。このダウンコンバータ１６からマルチメディア放送信号が出力され、受信機１８に直接に出力端子４４から供給されるか、出力端子４４に接続された再送信アンテナ（図示せず）から再送信されて、受信機１８によって受信される。
【００２２】
図２（ｂ）に示したのは、変換信号を９０乃至１０８ＭＨｚのマルチメディア放送信号または２０７．５乃至２２２ＭＨｚのマルチメディア放送信号のうち一方に再周波数変換するための構成であり、他方を再変換するために、図示していないがバンドパスフィルタ３６、ミキサー３８、バンドパスフィルタ４０、４２が別に設けられている。但し、９０乃至１０８ＭＨｚのマルチメディア放送信号または２０７．５乃至２２２ＭＨｚのマルチメディア放送信号のうち他方に周波数変換するためのバンドパスフィルタ３６、４０、４２の通過帯域は、図２（ｂ）に示したバンドパスフィルタ３６、４０、４２の通過帯域とは、異なっている。
【００２３】
図２（ｃ）は、ブースター１２のブロック図で、入力端子４６に混合器８からマルチメディア放送信号と局部発振信号とテレビジョン放送信号とが供給され、これらは抽出手段、例えばバンドパスフィルタ４８によって抽出され、増幅手段、例えば増幅器５０によって増幅され、抽出手段、例えばバンドパスフィルタ５２によって不要成分が除去され、出力端子５４に供給される。出力端子５４から、共同受信システム２に、増幅されたマルチメディア放送信号と局部発振信号とテレビジョン放送信号とが供給される。
【００２４】
図２（ｄ）は、混合器８のブロック図で、入力端子５６にアップコンバータ６から変換信号と局部発振信号とが供給され、入力端子５８にＵＨＦ帯受信用アンテナ１０からＵＨＦ帯のテレビジョン放送信号が供給される。入力端子５６には、抽出手段、例えばハイパスフィルタ６０が接続され、変換信号及び局部発振信号よりも低い周波数の不要な信号成分を除去して、変換信号及び局部発振信号を出力端子６２に供給する。入力端子５８には、抽出手段、例えばローパスフィルタ６４が接続され、テレビジョン放送信号よりも高い周波数の不要な信号成分を除去して、出力端子６２に供給する。従って、出力端子６２から、変換信号及び局部発振信号とテレビジョン放送信号との混合信号が出力され、ブースター１２に供給される。なお、ハイパスフィルタ６０、ローパスフィルタ６４に代えて、通過帯域が変換信号及び局部発振信号を通過させるように選択されたバンドパスフィルタと、通過帯域がテレビジョン放送信号を通過させるように選択されたバンドパスフィルタとを、使用することもできる。
【００２５】
上記の実施形態では、マルチメディア放送信号のみを周波数変換したが、これに代えて、或いはこれに加えて、１７０乃至２２２ＭＨｚを使用する自営通信信号をアップコンバータ６においてＵＨＦ帯のテレビジョン放送で不使用の周波数帯に周波数変換して、共同受信システム２で各端末端子１４に伝送し、これら端末端子１４のうち所望のものに設けたダウンコンバータ１６で、元の自営通信信号の周波数帯に再周波数変換することもできる。上記の実施形態では、マルチメディア放送信号や自営通信信号は、ＶＨＦ帯受信用アンテナ４で受信したが、これに限ったものではなく、例えば他の共同受信システムで受信されたものを、伝送線路、例えば同軸ケーブルを介してアップコンバータ６に供給することもできる。ＵＨＦ帯のテレビジョン放送信号も同様に、他の共同受信システムで受信されたものを同軸ケーブルを介して混合器８に供給することもできる。また、上記の実施形態では、ブースター１２を混合器８の出力側に設けたが、場合によっては、アップコンバータ６の入力側または出力側に設けることもできるし、場合によっては除去することもできる。また、受信機１８として、携帯電話機を示したが、これに限ったものではなく、カーナビ用受信機、携帯ゲーム機、携帯オーディオ器、ＰＤＡ、パーソナルコンピュータ、テレビ受信機、ラジオ受信機、電子ペーパー、デジタルサイネージ等を使用することもできる。
【符号の説明】
【００２６】
２  共同受信システム
６  アップコンバータ（第１の周波数変換手段）
８  混合器（混合手段）
１４  端末端子
１６  ダウンコンバータ（第２の周波数変換手段）
【図１】
2011249971.tif 000003
【図２】
2011249971.tif 000004
【図３】
2011249971.tif 000005